(57)【特許請求の範囲】
【請求項１】
コンテンツ配信装置と複数の携帯端末とを備えるコンテンツ配信システムであって、
前記携帯端末はそれぞれ、
当該携帯端末が前記コンテンツ配信装置から所定のエリア内に位置するか否かを判定する位置判定部と、
前記位置判定部の判定結果から当該携帯端末が前記所定のエリアに入ったことを検知すると、属性情報を前記コンテンツ配信装置に送信する属性情報送信部と、
前記コンテンツ配信装置から同期情報を受信する同期情報受信部と、
前記同期情報に基づくタイミングでアラート通知を行うアラート通知部と、
を備え、
前記コンテンツ配信装置は、
前記所定のエリア内に位置する複数の携帯端末から前記属性情報を受信する属性情報受信部と、
複数種類のコンテンツをつなぎ合わせた連続コンテンツを生成するとともに、前記属性情報ごとに、該属性情報に対応するコンテンツが開始するタイミングを示す前記同期情報を生成するコンテンツ生成部と、
前記連続コンテンツをコンテンツ表示装置に出力するコンテンツ配信部と、
前記同期情報を、該同期情報に対応付けられた携帯端末に送信する同期情報送信部と、
を備えることを特徴とするコンテンツ配信システム。
【請求項２】
複数の携帯端末と通信を行うコンテンツ配信装置であって、
当該コンテンツ配信装置から所定のエリア内に位置する複数の携帯端末から属性情報を受信する属性情報受信部と、
複数種類のコンテンツをつなぎ合わせた連続コンテンツを生成するとともに、前記属性情報ごとに、該属性情報に対応するコンテンツが開始するタイミングを示す同期情報を生成するコンテンツ生成部と、
前記同期情報を、該同期情報に対応付けられた携帯端末に送信する同期情報送信部と、
前記連続コンテンツをコンテンツ表示装置に出力するコンテンツ配信部と、
を備えることを特徴とするコンテンツ配信装置。
【請求項３】
前記コンテンツ生成部は、前記属性情報に関連するコンテンツのみをつなぎ合わせた連続コンテンツを生成することを特徴とする、請求項２に記載のコンテンツ配信装置。
【請求項４】
前記同期情報は、前記属性情報に対応するコンテンツに切り替える所定時間前のタイミングを示す情報であることを特徴とする、請求項２又は３に記載のコンテンツ配信装置。
【請求項５】
前記コンテンツ生成部は、前記所定時間を機械学習により決定することを特徴とする、請求項４に記載のコンテンツ配信装置。
【請求項６】
前記属性情報は、サイコグラフィックな情報、又は現在の状況を示すコンテキスト情報を含むことを特徴とする、請求項２から５のいずれか一項に記載のコンテンツ配信装置。
【請求項７】
コンテンツ配信装置と複数の携帯端末とを備えるコンテンツ配信システムにおけるコンテンツ配信方法であって、
前記携帯端末が、前記コンテンツ配信装置から所定のエリア内に位置するか否かを判定するステップと、
前記携帯端末が、前記判定の結果から当該携帯端末が前記所定のエリアに入ったことを検知すると、属性情報を前記コンテンツ配信装置に送信するステップと、
前記コンテンツ配信装置が、前記所定のエリア内に位置する複数の携帯端末から前記属性情報を受信するステップと、
前記コンテンツ配信装置が、複数種類のコンテンツをつなぎ合わせた連続コンテンツを生成するとともに、前記属性情報ごとに、該属性情報に対応するコンテンツが開始するタイミングを示す同期情報を生成するステップと、
前記コンテンツ配信装置が、前記連続コンテンツをコンテンツ表示装置に出力するステップと、
前記コンテンツ配信装置が、前記同期情報を、該同期情報に対応付けられた携帯端末に送信するステップと、
前記携帯端末が、前記同期情報を受信するステップと、
前記携帯端末が、前記同期情報に基づくタイミングでアラート通知を行うステップと、を含むことを特徴とするコンテンツ配信方法。
【請求項８】
コンピュータを、請求項２から６のいずれか一項に記載のコンテンツ配信装置として機能させるためのプログラム。
【発明の詳細な説明】
【技術分野】
【０００１】
本発明は、コンテンツ配信システム、コンテンツ配信装置、コンテンツ配信方法、及びプログラムに関する。
【背景技術】
【０００２】
近年、空港、駅、商業施設などの多数の人が集まる公共空間において、その場にいる人全員に向けて案内メッセージなどを示すコンテンツを表示するデジタルサイネージが普及している。デジタルサイネージのコンテンツの表示方法は、あらかじめ記憶された複数のコンテンツを一定時間ごとに切り替えて順次表示する手法が一般的である。
【０００３】
しかし、デジタルサイネージは、表示するコンテンツがその空間にいる人全員に対して閲覧されるため、上述した表示方法では、ユーザの属性に合致した個別のコンテンツ（パーソナライズメッセージ）を提示することが困難であった。また、広告情報の表示領域が複数ある場合に対してそれぞれの領域は予め定められたタイムスケジュールでしか制御できないという問題があった。
【０００４】
そこで、各利用者が以前に表示されたコンテンツを参照した旨を示す履歴に基づいて、データメモリに記録される複数のコンテンツについての表示確率を算出し、表示確率に基づいて、データメモリに記録される複数のコンテンツのうちいずれかを表示するデジタルサイネージが知られている（例えば、特許文献１参照）。
【０００５】
また、ソーシャルネットワーキングサービスへ投稿されたコンテンツから利用者にとって適切なコンテンツを抽出し、携帯端末へ送信するコンテンツ配信装置も知られている（例えば、特許文献２参照）。
【先行技術文献】
【特許文献】
【０００６】
【特許文献１】特開２０１５−１４８６８９号公報
【特許文献２】特開２０１５−０１８４１８号公報
【発明の概要】
【発明が解決しようとする課題】
【０００７】
しかし、特許文献１に記載のデジタルサイネージは、画面内の情報表示領域を分割し、情報表示領域ごとに異なるコンテンツを表示するものである。そのため、各コンテンツを表示する領域が小さくなり、視認性が低下し、コンテンツを見落とすおそれがある。
【０００８】
また、携帯端末にコンテンツを配信する方法では、ユーザは手元の携帯端末の画面を注視する必要があり、人混みの発生しやすい公共空間での利用は安全面の観点で適切でない。
【０００９】
かかる事情に鑑みてなされた本発明の目的は、視認性を損なうことなく、個人の属性に合致した個別のコンテンツを確実に提示することが可能なコンテンツ配信システム、コンテンツ配信装置、コンテンツ配信方法、及びプログラムを提供することにある。
【課題を解決するための手段】
【００１０】
上記課題を解決するため、本発明に係るコンテンツ配信システムは、コンテンツ配信装置と複数の携帯端末とを備えるコンテンツ配信システムであって、前記携帯端末はそれぞれ、当該携帯端末が前記コンテンツ配信装置から所定のエリア内に位置するか否かを判定する位置判定部と、前記位置判定部の判定結果から当該携帯端末が前記所定のエリアに入ったことを検知すると、属性情報を前記コンテンツ配信装置に送信する属性情報送信部と、前記コンテンツ配信装置から同期情報を受信する同期情報受信部と、前記同期情報に基づくタイミングでアラート通知を行うアラート通知部と、を備え、前記コンテンツ配信装置は、前記所定のエリア内に位置する複数の携帯端末から前記属性情報を受信する属性情報受信部と、複数種類のコンテンツをつなぎ合わせた連続コンテンツを生成するとともに、前記属性情報ごとに、該属性情報に対応するコンテンツが開始するタイミングを示す前記同期情報を生成するコンテンツ生成部と、前記連続コンテンツをコンテンツ表示装置に出力するコンテンツ配信部と、前記同期情報を、該同期情報に対応付けられた携帯端末に送信する同期情報送信部と、を備えることを特徴とする。
【００１１】
また、上記課題を解決するため、本発明に係るコンテンツ配信装置は、複数の携帯端末と通信を行うコンテンツ配信装置であって、当該コンテンツ配信装置から所定のエリア内に位置する複数の携帯端末から属性情報を受信する属性情報受信部と、複数種類のコンテンツをつなぎ合わせた連続コンテンツを生成するとともに、前記属性情報ごとに、該属性情報に対応するコンテンツが開始するタイミングを示す同期情報を生成するコンテンツ生成部と、前記同期情報を、該同期情報に対応付けられた携帯端末に送信する同期情報送信部と、前記連続コンテンツをコンテンツ表示装置に出力するコンテンツ配信部と、を備えることを特徴とする。
【００１２】
また、上記課題を解決するため、本発明に係るコンテンツ配信方法は、コンテンツ配信装置と複数の携帯端末とを備えるコンテンツ配信システムにおけるコンテンツ配信方法であって、前記携帯端末が、前記コンテンツ配信装置から所定のエリア内に位置するか否かを判定するステップと、前記携帯端末が、前記判定の結果から当該携帯端末が前記所定のエリアに入ったことを検知すると、属性情報を前記コンテンツ配信装置に送信するステップと、前記コンテンツ配信装置が、前記所定のエリア内に位置する複数の携帯端末から前記属性情報を受信するステップと、前記コンテンツ配信装置が、複数種類のコンテンツをつなぎ合わせた連続コンテンツを生成するとともに、前記属性情報ごとに、該属性情報に対応するコンテンツが開始するタイミングを示す同期情報を生成するステップと、前記コンテンツ配信装置が、前記連続コンテンツをコンテンツ表示装置に出力するステップと、前記コンテンツ配信装置が、前記同期情報を、該同期情報に対応付けられた携帯端末に送信するステップと、前記携帯端末が、前記同期情報を受信するステップと、前記携帯端末が、前記同期情報に基づくタイミングでアラート通知を行うステップと、を含むことを特徴とする。
【００１３】
また、上記課題を解決するため、本発明に係るプログラムは、コンピュータを、上記コンテンツ配信装置として機能させることを特徴とする。
【発明の効果】
【００１４】
本発明によれば、画面内に同時に複数のコンテンツを表示させるのではなく、コンテンツを一定時間ごとに切り替えて表示するため、視認性を損なうことなく、離れた位置からでもコンテンツを視認することができる。
【００１５】
また、携帯端末が適切なタイミングでアラート通知を行うため、各個人の属性に合致したコンテンツを確実に提示することができる。また、手元を見ないで歩きながらアラート通知を受けることができるので、人の滞留、衝突などの危険性を回避することができる。さらに、アラート通知により、順次表示される複数のコンテンツのうち、属性に関連するコンテンツが表示されるまでの間はコンテンツを確認する必要は無くなり、必要な情報のみを短い時間で所得することができる。
【図面の簡単な説明】
【００１６】
【図１】本発明の一実施形態に係るコンテンツ配信システムの構成例を示すブロック図である。
【図２】本発明の一実施形態に係るコンテンツ配信方法の一例を示すフローチャートである。
【図３】本発明の一実施形態に係るコンテンツ配信システムにおいて、携帯端末がアラート通知を行う様子を示す図である。
【図４】本発明の一実施形態に係るコンテンツ配信システムにおいて、コンテンツ配信を行う様子を示す図である。
【発明を実施するための形態】
【００１７】
以下、本発明の一実施形態について、図面を参照して詳細に説明する。
【００１８】
本発明の一実施形態に係るコンテンツ配信システムについて説明する。図１に、本発明の一実施形態に係るコンテンツ配信システムの構成例を示す。コンテンツ配信システム１は、コンテンツ配信装置１０と、複数の携帯端末２０とを備える。コンテンツ配信装置１０と、複数の携帯端末２０とは、Ｗｉ−Ｆｉ（登録商標）、Bluetooth（登録商標）などの無線通信ネットワーク３０を介して接続され、相互に通信を行う。
【００１９】
コンテンツ配信装置１０は、セットトップボックスに限定されるものではなく、クラウドの機能（プラットフォーム）として提供されるものであってもよい。また、コンテンツ配信装置１０として機能させるためにコンピュータを好適に用いることができ、そのようなコンピュータは、コンテンツ配信装置１０の各機能を実現する処理内容を記述したプログラムを該コンピュータの記憶部に格納しておき、該コンピュータのＣＰＵによってこのプログラムを読み出して実行させることで実現することができる。なお、このプログラムは、コンピュータ読取り可能な記録媒体に記録可能である。
【００２０】
携帯端末２０は、携帯可能な端末であり、例えばスマートフォン、スマートウォッチなどである。
【００２１】
コンテンツ表示装置４０は、コンテンツ配信装置１０から配信されたコンテンツを表示する装置であり、例えばデジタルサイネージ(電子看板)である。コンテンツ表示装置４０はコンテンツ表示する液晶パネル、ＬＥＤパネルなどのディスプレイであってもよいし、コンテンツが投影されるスクリーンであってもよい。なお、コンテンツ表示装置４０は、コンテンツ配信装置１０と一体に構成されてもよい。
【００２２】
（携帯端末）
つぎに、各携帯端末２０の構成について説明する。図１に示す携帯端末２０は、通信部２１と、位置判定部２２と、属性情報記憶部２３と、属性情報送信部２４と、同期情報受信部２５と、アラート通知部２６とを備える。
【００２３】
位置判定部２２は、携帯端末２０がコンテンツ配信装置１０から所定のエリア内、すなわち、コンテンツ配信装置１０のコンテンツを視認可能なエリア（以下、「コンテンツ可視エリア」という。）内に位置するか否かを判定し、判定結果を属性情報送信部２４及びアラート通知部２６に出力する。例えば、位置判定部２２は、コンテンツ配信装置１０から送信されるＷｉ−Ｆｉやビーコン信号を通信部２１を介して受信したときの信号強度に基づき、コンテンツ可視エリア内に位置するか否かを判定する。例えば、ビーコンはＢＬＥ（Bluetooth Low Energy）の規格に基づくものであってもよい。
【００２４】
属性情報記憶部２３は、ユーザの携帯端末２０の操作により属性情報を取得し、記憶する。属性情報は、ユーザが携帯端末２０の入力画面から手動で入力してもよいし、スケジュール管理、電車乗換案内検索などのアプリケーションの使用履歴と連動して自動で取得してもよい。
【００２５】
属性情報送信部２４は、位置判定部２２から入力した判定結果から、携帯端末２０がコンテンツ可視エリアに入ったことを検知すると、属性情報記憶部２３に記憶された属性情報を、通信部２１を介してコンテンツ配信装置１０に送信する。
【００２６】
同期情報受信部２５は、コンテンツ配信装置１０から送信される同期情報を、通信部２１を介して受信する。そして、同期情報を受信すると、アラート指示信号をアラート通知部２６に出力する。
【００２７】
アラート通知部２６は、同期情報に基づくタイミングでアラート通知を行う。すなわち、同期情報受信部２５からアラート指示信号が入力されると、アラート通知を行う。例えば、アラート通知部２６はスピーカから音や音声を出力してもよいし、モータを回転させて携帯端末２０を振動させてもよい。アラート通知部２６がアラート信号を発することにより、ユーザにコンテンツ配信装置１０を見るよう促すことができる。そしてアラート通知部２６は、所定の条件を満たすとアラート通知を終了させる。例えば、位置判定部２２から入力した判定結果から携帯端末２０がコンテンツ可視エリアから出たことを検知した場合、あるいは所定時間アラート通知を動作させた場合に、アラート通知を終了させる。また、ユーザからアラート通知を終了させる操作が行われた場合に、アラート通知を終了させてもよい。
【００２８】
（コンテンツ配信装置）
つぎに、コンテンツ配信装置１０の構成について説明する。図１に示すコンテンツ配信装置１０は、通信部１１と、属性情報受信部１２と、コンテンツデータ記憶部１３と、コンテンツ生成部１４と、コンテンツ配信部１５と、同期情報送信部１６とを備える。
【００２９】
属性情報受信部１２は、複数の携帯端末２０から通信部１１を介して属性情報を受信し、コンテンツ生成部１４及び同期情報送信部１６に出力する。ここで、属性情報とは、ユーザに関する任意の情報であり、例えば、国籍、性別、年齢などのデモグラフィックな情報や、趣味、嗜好、訪問履歴などのサイコグラフィックな情報や、移動中、空き時間などのコンテキスト情報である。
【００３０】
コンテンツデータ記憶部１３は、属性情報に応じて異なるコンテンツを提示することができるように、属性情報と対応付けて複数種類のコンテンツデータを記憶する。例えば、多くの外国人が訪れる場所における案内表示用のコンテンツデータであれば、日本語で表示するコンテンツデータ、英語で表示するコンテンツデータ、中国語で表示するコンテンツデータなど、言語が異なる複数種類のコンテンツデータを記憶する。また、駅における案内表示用のコンテンツデータであれば、バス乗り場を表示するコンテンツデータ、タクシー乗り場を表示するコンテンツデータ、お土産屋さんを表示するコンテンツデータなど、目的が異なる複数種類のコンテンツデータを記憶する。なお、コンテンツデータ記憶部１３は、コンテンツ配信装置１０の外部に配置されてもよい。
【００３１】
コンテンツ生成部１４は、コンテンツデータ記憶部１３からコンテンツデータを読み出し、複数種類のコンテンツをつなぎ合わせた連続コンテンツを生成し、コンテンツ配信部１５に出力する。
【００３２】
ここで、コンテンツ生成部１４は連続コンテンツを生成する際に、属性情報受信部１２から入力された属性情報に関連するコンテンツデータのみを取得して、これらのコンテンツをつなぎ合わせた連続コンテンツを生成するようにしてもよい。
【００３３】
また、コンテンツ生成部１４は、属性情報受信部１２から入力された属性情報ごとに、該属性情報に対応するコンテンツが開始するタイミングを示す同期情報を生成し、同期情報送信部１６に出力する。同期情報は、属性情報に対応するコンテンツに切り替える瞬間のタイミングを示す情報であってもよいし、属性情報に対応するコンテンツに切り替える所定時間（例えば、数秒）前のタイミングを示す情報であってもよいし、コンテンツの種類を切り替えるまでの時間を示す情報であってもよい。また、コンテンツの切り替わりの間にアテンションイメージを挿入する場合には、アテンションイメージを挿入するタイミングを示す情報であってもよい。
【００３４】
ここで、同期情報を属性情報に対応するコンテンツの種類を切り替える所定時間前のタイミングを示す情報とする場合には、コンテンツ生成部１４は、所定時間を機械学習により決定するようにしてもよい。例えば、コンテンツ表示装置４０にカメラを設置してユーザの目線を測定させることにより、同期情報の送信先の携帯端末２０を有するユーザがコンテンツ表示装置４０を見たと判断された場合には同期情報が正しいものと学習し、コンテンツ表示装置４０を見たと判断されなかった場合には同期情報が誤っているものと学習する。あるいは、同期情報の送信先の携帯端末２０から、コンテンツの案内する場所へ移動したこと示す情報を受信したときは同期情報が正しいものと学習し、該情報を受信しなかったときは同期情報が誤っているものと学習するようにしてもよい。
【００３５】
コンテンツ配信部１５は、コンテンツ生成部１４から入力された連続コンテンツをコンテンツ表示装置４０に出力（配信）し、連続コンテンツを表示させる。なお、コンテンツ配信部１５は、プロジェクションマッピングによりコンテンツをコンテンツ表示装置４０に表示してもよい。
【００３６】
同期情報送信部１６は、コンテンツ生成部１４から入力された同期情報を、通信部１１を介して、同期情報に対応付けられた携帯端末２０に送信する。
【００３７】
（コンテンツ配信方法）
つぎに、本発明の一実施形態に係るコンテンツ配信方法について、図２及び図３を参照して説明する。図２は、本発明の一実施形態に係るコンテンツ配信方法を示すフローチャートである。図３は、コンテンツ配信システム１において、携帯端末２０がアラート通知を行う様子を示す図である。
【００３８】
図３に示すように携帯端末２０を有するユーザがコンテンツ表示装置４０の近くを通ると、携帯端末２０は属性情報送信部２４により、携帯端末２０がコンテンツ可視エリアＡに入ったことを検知し、属性情報をコンテンツ配信装置１０に送信する（ステップＳ１０１）。これにより、コンテンツ配信装置１０は携帯端末２０を検知して、携帯端末２０にアクションを行うことが可能となる。
【００３９】
コンテンツ配信装置１０は属性情報受信部１２により、コンテンツ可視エリアＡ内に位置する複数の携帯端末２０から属性情報を受信する（ステップＳ１０２）。
【００４０】
続いて、コンテンツ配信装置１０はコンテンツ生成部１４により、受信した属性情報に基づき、コンテンツ可視エリアＡ内に位置する携帯端末２０に関連する複数種類のコンテンツをつなぎ合わせた連続コンテンツを生成する。そして、コンテンツ配信部１５により、生成した連続コンテンツをコンテンツ表示装置４０に配信する（ステップＳ１０３）。
【００４１】
また、コンテンツ配信装置１０は同期情報送信部１６により、コンテンツの配信スケジュールに基づいて同期情報を携帯端末２０に送信する（ステップＳ１０４）。
【００４２】
携帯端末２０は同期情報受信部２５により、コンテンツ配信装置１０から同期情報を受信すると、アラート通知部２６によりアラート通知を行う（ステップＳ１０５）。
【００４３】
携帯端末２０はアラート通知部２６により、携帯端末２０がコンテンツ可視エリアＡから出たことを検知するなどの所定の条件を満たすと、アラート通知を終了する（ステップＳ１０６）。
【００４４】
なお、コンテンツ配信装置１０と携帯端末２０との同期は、ＧＣＭ(Google Cloud Messaging)やＡＰＮＳ(Apple Push Notification Service)によるプッシュ通知の仕組みを利用してもよいし、コンテンツ可視エリアＡ内に入ったらアプリケーションが起動してコンテンツ配信装置１０とセッションを張って同期をとってもよい。
【００４５】
図４は、コンテンツ配信システム１において、コンテンツ配信を行う様子を示す図である。この例では、コンテンツ可視エリア内にはユーザａとユーザｂがおり、ユーザａは自身が有する携帯端末２０ａに「時間に余裕有り」という属性情報を登録しており、ユーザｂは自身が有する携帯端末２０ｂに「急いでいる」という属性情報を登録しているものとする。一方、コンテンツ配信装置１０は、コンテンツ表示装置４０に、「タクシー乗り場の場所を案内する情報」、「お店の場所を案内する情報」、及び「バス停の場所を案内する情報」を順次サイクリックに表示させているものとする。
【００４６】
同期情報送信部１６は、「時間に余裕有り」という属性情報を登録している携帯端末２０ａに対しては、コンテンツが「タクシー乗り場の場所を案内する情報」から「お店の場所を案内する情報」に切り替わるタイミング、又はその数秒前に同期情報を送信する。同期情報を受信した携帯端末２０ａは、アラート通知部２６によりアラートを通知する。これにより、ユーザａは「お店の場所を案内する情報」を見落とすことがなくなり、空き時間のあるユーザａに対してお店の立ち寄りを促すことが可能となる。
【００４７】
また、同期情報送信部１６は、「急いでいる」という属性情報を登録している携帯端末２０ｂに対しては、コンテンツが「バス停の場所を案内する情報」から「タクシー乗り場の場所を案内する情報」に切り替わるタイミング、又はその数秒前に同期情報を送信する。同期情報を受信した携帯端末２０ｂは、アラート通知部２６によりアラートを通知する。これにより、ユーザｂは「タクシー乗り場の場所を案内する情報」を見落とすことがなくなり、急いでいるユーザｂに対して最適な交通手段を案内することが可能となる。
【００４８】
また、携帯端末２０はユーザの行動から属性を推測し、自動で属性情報に追加登録してもよい。例えば、図４では「時間に余裕有り」又は「急いでいる」という属性情報が登録されている場合のコンテンツ配信システム１の動作について説明したが、携帯端末２０に該属性情報が登録されていなくても携帯端末２０がユーザのフライト情報又は旅程表を把握している場合には、ユーザが「時間に余裕有り」なのか「急いでいる」のかを携帯端末２０が推測して自動で属性情報に追加登録し、同様の動作を行うようにしてもよい。
【００４９】
このように、本発明によれば、コンテンツ配信装置１０は、同時に複数のコンテンツを表示させるのではなく、コンテンツ表示装置４０に対してコンテンツを一定時間ごとに切り替えて表示させるため、視認性を損なうことなく、ユーザは離れた位置からでもコンテンツを視認することができる。
【００５０】
また、特定のコンテンツを見て欲しいタイミングで携帯端末２０がアラート通知を行うことにより、該携帯端末２０のユーザにコンテンツを見るように促すことができ、個人に最適化したコンテンツの配信が可能となる。また、ユーザは携帯端末２０の画面を見ることなくアラート通知を受けることができるので、人の滞留、衝突などの危険性を回避することができる。さらに、アラート通知により、順次表示される複数のコンテンツのうち、属性に関連するコンテンツが表示されるまでの間はコンテンツを確認する必要は無くなり、必要な情報のみを短い時間で所得することができる。
【００５１】
また、コンテンツ生成部１４は、コンテンツ可視エリア内にいるユーザの属性情報に関連するコンテンツのみをつなぎ合わせた連続コンテンツを生成するようにしてもよい。これにより、コンテンツ可視エリア内にいるユーザにとって不要なコンテンツを省略し、ユーザが必要とする情報を示すコンテンツのみを配信することができるようになる。
【００５２】
また、同期情報を属性情報に対応するコンテンツに切り替える所定時間前のタイミングを示す情報とし、コンテンツ生成部１４は、該所定時間を機械学習により決定するようにしてもよい。これにより、携帯端末２０は、より適切なタイミングでアラート通知を行うことができるようになる。
【００５３】
上述の実施形態は代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、実施形態の構成図に記載の複数の構成ブロックを１つに組み合わせたり、あるいは１つの構成ブロックを分割したりすることが可能である。
【符号の説明】
【００５４】
１    コンテンツ配信システム
１０  コンテンツ配信装置
１１  通信部
１２  属性情報受信部
１３  コンテンツデータ記憶部
１４  コンテンツ生成部
１５  コンテンツ配信部
１６  同期情報送信部
２０  携帯端末
２１  通信部
２２  位置判定部
２３  属性情報記憶部
２４  属性情報送信部
２５  同期情報受信部
２６  アラート通知部
３０  通信ネットワーク
４０  コンテンツ表示装置
【図１】
0006466367.tif 000002
【図２】
0006466367.tif 000003
【図３】
0006466367.tif 000004
【図４】
0006466367.tif 000005